(57)【要約】    【課題】  美観に優れたゴルフクラブヘッドを提供する。    【解決手段】  ヘッド基体２の表面の少なくとも一部に塗膜３を形成したゴルフクラブヘッド１であって、前記塗膜３は、光の回折によって虹色に輝く回折塗膜部３Ａを含むことを特徴とする。【選択図】  図１
2005087314.tif 000002
【特許請求の範囲】
【請求項１】
ヘッド基体の表面の少なくとも一部に塗膜を形成したゴルフクラブヘッドであって、
前記塗膜は、光の回折によって虹色に輝く回折塗膜部を含むことを特徴とするゴルフクラブヘッド。
【請求項２】
前記回折塗膜部は、微細な板状基体の表面に多数の平行な溝を設けた回折格子片を含むことを特徴とする請求項１記載のゴルフクラブヘッド。
【請求項３】
前記回折塗膜部は、最もヘッド基体側に形成された下地層と、
その外側に形成されかつ着色塗料からなる着色層と、
この着色層の外側に形成されかつ有色クリア塗料に前記回折格子片を含ませた回折格子片入り有色クリア塗料からなる有色クリア回折層と、
この有色クリア回折層の外側に形成された無色透明なクリア塗料からなるトップクリア層とからなることを特徴とする請求項２記載のゴルフクラブヘッド。
【請求項４】
前記回折塗膜部は、最もヘッド基体側に形成された下地層と、
その外側に形成されかつ着色塗料からなる着色層と、
この着色層の外側に形成されかつ無色透明なクリア塗料に前記回折格子片を含ませた回折格子片入り無色クリア塗料からなる無色クリア回折層と、
この無色クリア回折層の外側に形成されかつ有色クリア塗料からなる有色クリア層と、
この有色クリア層の外側に形成された無色透明なクリア塗料からなるトップクリア層とからなることを特徴とする請求項２記載のゴルフクラブヘッド。
【請求項５】
前記ヘッド基体は、ボールを打球するフェース面と、このフェース面の上縁に連なりヘッド上面をなすクラウン面と、前記フェース面のトウ側縁からバックフェースを通り前記フェース面のヒール側縁にのびる側面をなすサイド面とを有し、
かつ前記塗膜は、少なくとも前記クラウン面に形成されかつ前記フェース面の上縁及びサイド面の上縁をそれぞれ下方にはみ出すことを特徴とする請求項１乃至４のいずれかに記載のゴルフクラブヘッド。
【請求項６】
前記塗膜は、前記回折塗膜部と、前記回折格子片を含まない非回折塗膜部とを有し、
かつ前記非回折塗膜部が、少なくともクラウン面の周辺領域に形成されるとともに、前記回折塗膜部が、クラウン面中央部に形成されたことを特徴とする請求項２乃至５のいずれかに記載のゴルフクラブヘッド。
【請求項７】
前記クラウン面周辺領域の塗膜厚さが、前記クラウン面中央部の塗膜厚さよりも小であることを特徴とする請求項６記載のゴルフクラブヘッド。
【発明の詳細な説明】
【技術分野】
【０００１】
本発明は、美観を向上し得たゴルフクラブヘッドに関する。
【背景技術】
【０００２】
ゴルフクラブヘッド、特にウッド型のゴルフクラブヘッドは、飛距離や方向性といった打球性能の向上を目的として大型化が進むと同時に、ヘッドの意匠的な外観にも美しさや高級感が求められている。特に近年では、金属的な光沢を醸し出すメタリック塗装や、光の入射方向又は光の強度に応じて、色が違って見える偏光塗装を用いたものが例えば下記特許文献１ないし２で提案されている。
【０００３】
【特許文献１】特開平１１−２３５４０５号公報
【特許文献２】特開２００２−３２５８６８号公報
【発明の開示】
【発明が解決しようとする課題】
【０００４】
しかしながら、現在では、メタリック塗装又は偏光塗装された商品が多種販売されているため、これらの塗装ではヘッドの斬新性がなく、かつ市場における他社製品との差別化が難しい。
【０００５】
本発明は、以上のような問題点に鑑み案出なされたもので、塗膜に、光の回折により虹色に輝く回折塗膜部を含ませることを基本として、斬新かつ美観に優れるゴルフクラブヘッドを提供することを目的としている。
【課題を解決するための手段】
【０００６】
本発明のうち請求項１記載の発明は、ヘッド基体の表面の少なくとも一部に塗膜を形成したゴルフクラブヘッドであって、前記塗膜は、光の回折によって虹色に輝く回折塗膜部を含むことを特徴とするゴルフクラブヘッド。
【０００７】
また請求項２記載の発明は、前記回折塗膜部は、微細な板状基体の表面に多数の平行な溝を設けた回折格子片を含むことを特徴とする請求項１記載のゴルフクラブヘッドである。
【０００８】
また請求項３記載の発明は、前記回折塗膜部は、最もヘッド基体側に形成された下地層と、その外側に形成されかつ着色塗料からなる着色層と、この着色層の外側に形成されかつ有色クリア塗料に前記回折格子片を含ませた回折格子片入り有色クリア塗料からなる有色クリア回折層と、この有色クリア回折層の外側に形成された無色透明なクリア塗料からなるトップクリア層とからなることを特徴とする請求項２記載のゴルフクラブヘッドである。
【０００９】
また請求項４記載の発明は、前記回折塗膜部は、最もヘッド基体側に形成された下地層と、その外側に形成されかつ着色塗料からなる着色層と、この着色層の外側に形成されかつ無色透明なクリア塗料に前記回折格子片を含ませた回折格子片入り無色クリア塗料からなる無色クリア回折層と、この無色クリア回折層の外側に形成されかつ有色クリア塗料からなる有色クリア層と、この有色クリア層の外側に形成された無色透明なクリア塗料からなるトップクリア層とからなることを特徴とする請求項２記載のゴルフクラブヘッドである。
【００１０】
また請求項５記載の発明は、前記ヘッド基体は、ボールを打球するフェース面と、このフェース面の上縁に連なりヘッド上面をなすクラウン面と、前記フェース面のトウ側縁からバックフェースを通り前記フェース面のヒール側縁にのびる側面をなすサイド面とを有し、かつ前記塗膜は、少なくとも前記クラウン面に形成されかつ前記フェース面の上縁及びサイド面の上縁をそれぞれ下方にはみ出すことを特徴とする請求項１乃至４のいずれかに記載のゴルフクラブヘッドである。
【００１１】
また請求項６記載の発明は、前記塗膜は、前記回折塗膜部と、前記回折格子片を含まない非回折塗膜部とを有し、かつ前記非回折塗膜部が、少なくともクラウン面の周辺領域に形成されるとともに、前記回折塗膜部が、クラウン面中央部に形成されたことを特徴とする請求項２乃至５のいずれかに記載のゴルフクラブヘッドである。
【００１２】
また請求項７記載の発明は、前記クラウン面周辺領域の塗膜厚さが、前記クラウン面中央部の塗膜厚さよりも小であることを特徴とする請求項６記載のゴルフクラブヘッドである。
【発明の効果】
【００１３】
本発明のゴルフクラブヘッドは、ヘッド基体の表面の少なくとも一部に形成された回折塗膜部が、光の回折によって虹色に輝く。従って、ヘッドの美観を顕著に向上させ得る。
【発明を実施するための最良の形態】
【００１４】
以下、本発明の実施の一形態を図面に基づき説明する。
図１は本実施形態のゴルフクラブヘッドの斜視図、図２はその背面図、図３は図１の平面図、図４は図１のＡ−Ａ部の切断面を模式的に拡大して示す部分断面図である。
【００１５】
本実施形態のゴルフクラブヘッド（以下、単に「ヘッド」ということがある。）１は、金属材料からなるヘッド基体２と、その表面に形成された塗膜３とで構成されており、この実施形態ではウッド型のものが例示される。
【００１６】
ヘッド基体２は、金属材料によって形成されており、好ましくはチタン、チタン合金、ステンレス、アルミニウム合金等を採用するのが望ましい。ただし、上記の材料に限定されるものではなく、他の金属材料の他、繊維強化樹脂などを用いることができる。またヘッド基体２は、ボールを打球するフェース面４と、このフェース面４の上縁４ａに連なりヘッド上面をなすクラウン面５と、前記フェース面４のトウ側縁４ｃからバックフェースを通り前記フェース面４のヒール側縁４ｄにのびる側面をなすサイド面６と、前記フェース面４の下縁４ｂに連なりヘッド底面をなすソール面７と、シャフトが装着されるホーゼル８とを含む中空構造で形成されている。
【００１７】
ヘッド基体２の一部には、塗膜３が設けられている。本発明のヘッド１は、この塗膜３が光の回折により虹色に輝く回折塗膜部３Ａを含んでいる。このようなヘッド１は、複数の波長を含む白色光（太陽光）の下で眺めることにより、回折が生じ、各光波で干渉が生じることにより虹色の輝きが生じ、ヘッドの美観を顕著に向上させ得る。以下の実施形態では、４層構造からなる回折塗膜部３Ａを、その塗装工程とともに説明する。
【００１８】
先ずヘッド基体２は、ワイヤーブラシやサンドブラスト等で表面を予め研磨される。そして、プライマーが塗装されることによりヘッド基体２の表面に下地層３ａが形成される。前記研磨により、ヘッド基体２の表面積が大きくなる。これはヘッド基体２と塗膜３との密着性を向上するのに役立つ。またプライマーは、無色透明の塗料であって、ポリエステル系樹脂、ウレタン系樹脂、エポキシ系樹脂又はアクリル系樹脂等をベース樹脂とする熱硬化型塗料が用いられる。本例ではチタン合金やステンレスといった金属材料との接着性が良くかつ衝撃に強いため熱硬化型ポリエステル系樹脂塗料をベースとしたプライマーが用いられている。
【００１９】
ヘッド基体２は、プライマーが塗膜形成面に均一に塗装された後、例えば１５０℃で１５分間程度加熱して焼き付けされる。これにより、ヘッド基体２の表面に、プライマーが硬化し下地層３ａが形成される。このような下地層３ａは、後に塗布される塗料との密着性を向上し、塗膜の耐久性を向上するのに役立つ。ヘッド基体２のピンホール等の損傷は、この下地処理の段階でパテ材などにより修復される。
【００２０】
下地層３ａの厚さは、特に限定されるものではないが、小さすぎるとヘッド基体２表面の凹凸を平滑化するのが困難となる傾向があり、逆に大きすぎてもヘッド基体２への密着性の他、耐衝撃性が低下する傾向がある。このような観点より、下地層３ａの厚さは、好ましくは５〜４０μｍ、より好ましくは１０〜２５μｍとすることが望ましい。
【００２１】
下地層３ａの外側には、着色塗料を硬化させた着色層３ｂが形成される。着色塗料としては、特に限定されるものではないが、ポリエステル系樹脂、ウレタン系樹脂、エポキシ系樹脂、アクリル系樹脂等をベース樹脂とし、これに顔料、溶剤を配合した種々の熱硬化型塗料を用いることができる。顔料の色目は、特に限定されず、種々の色が採用できる。本例では黒色ないし黒色系のものを用いるのが望ましい。本例の着色塗料は、プライマーと同様、ポリエステル系樹脂に黒色顔料を配合した塗料が用いられる。またヘッド基体２は、下地層３ａの外側に着色塗料を塗装した後、約１５０℃で１５分間程度の焼き付けが行われる。これにより、着色塗料が前記下地層３ａの上に硬化した着色層３ｂが形成される。
【００２２】
着色層３ｂは、その厚さが薄すぎると塗装工程に熟練した技術を要するなど作業性を困難とする傾向があり、逆に着色層３ｂの厚さが大きすぎると、もろくなって耐衝撃性が低下する傾向がある。このような観点より、着色層３ｂの厚さは、特に限定されるものではないが、好ましくは１〜３０μｍ、より好ましくは５〜２５μｍとすることが望ましい。
【００２３】
着色層３ｂの外側には、有色クリア塗料に回折格子片Ｐを含ませた回折格子片入り有色クリア塗料からなる有色クリア回折層３ｃが形成される。有色クリア塗料としては、例えばポリエステル系樹脂、ウレタン系樹脂、エポキシ系樹脂又はアクリル系樹脂等の熱硬化型塗料を好ましく採用でき、本実施形態では、下地層３ａ及び着色層３ｂと同様、ポリエステル系樹脂塗料が採用されている。有色クリア塗料は、色を有するが光透過性を有する有色透明である。また色目は特に制限されないが、好ましくは男性向けのゴルフクラブヘッドとしてグレー、ネイビー等の濃色系が望ましく、女性向けのヘッドとしては赤系、紫系又は青系色が望ましい。
【００２４】
図５（Ａ）には、前記回折格子片Ｐの一つが拡大して示されている。この実施形態の回折格子片Ｐは、微細かつほぼ正方形状をなす板状基体１０の表面に多数かつ平行にのびる溝１１が設けられて形成される。また板状基体１０は、例えばアルミニウム等の金属材料からなる不透明かつ光を反射するベース材１０ａと、該ベース材１０ａの両側面に一体に設けられた光を透過する透明な表面材１０ｂとを含んでいる。ベース材１０ａは、滑らかな波状に屈曲されており、その結果、平行にのびる多数の溝１０ａ１が形成されている。また表面材１０ｂ、１０ｂも、このベース材１０ｂにほぼ合わせた波状の表面形状を持っており、従って、表面に平行な多数の溝１０ｂ１が形成されている。表面材１０ｂは、透光性を有する樹脂又はガラスなどで構成することができる。この例の板状基体１０の一辺の長さＬは、例えば１５〜２５μｍ程度、厚さｔは０．５〜２．５μｍ程度まで微細化されている。
【００２５】
前記回折格子片Ｐを前記有色クリア塗料に所定量配合して回折格子片入り有色クリア塗料を作成するとともに、該塗料を前記着色層３ｂの外側に塗装する。回折格子片Ｐの多くは、上述のような小さいアスペクト比をもった薄板状をなしており、これが塗装面とほぼ平行に配向される。そしてヘッド基体２は、約１５０℃で１５分間程度焼き付けされ、着色層３ｂの上に硬化させ着色クリア回折層３ｃが形成される。
【００２６】
このような回折格子片Ｐを含む有色クリア回折層３ｃは、図６に模式的に示すように、その表面に複数の波長を有する白色光（太陽光）ＷＬが入射すると、回折格子片Ｐのベース材１０ａの溝１０ａ１で反射しかつ回折が生じる。これにより、白色光はスペクトルに分解される。そして各溝１０ａ１で回折された光波に干渉が生じ、特定の波長の光が特定の方向に反射（分散）される。看者は、このような有色クリア回折層３ｃから、手前側に波長の短い青系色、また奥側に波長の長い赤系色、その間に中間波長の緑系色を含む連続した虹状のスペクトルの輝きを見ることができる。この虹色の輝きは、例えばＣＤ−ＲＯＭの盤面の輝きに近似したものとして難なく想像できる。
【００２７】
このスペクトルは連続した色の変化であり、見る位置、光量などの条件に変化によって自在に形状、幅、色が変化し、とりわけ看者にゴルフクラブヘッド１として斬新でかつ高級かつ美しい印象を与えることができる。一方、光量が比較的少ないとき、或いは視点の位置に伴う回折の効果の少ない部分にあっては、有色クリア塗料の色と、これを通して見える着色層３ｂの色との反射光による色調を、ヘッド１の主体的な色として見ることもできる。
【００２８】
回折格子片Ｐとしては、図５（Ａ）以外にも、例えば同図（Ｂ）のように鋸歯状の凹凸によって溝１１を形成したものでも良い。この形態では、例えば樹脂からなるベース板状基体１４の上下の表面に反射被膜１３をコーティングしている。また同図（Ｃ）のように円弧状の凹溝を設けることもできる。さらに同図（Ｄ）のように、同心円状にのびる溝１１を有した円形をなす回折格子片Ｐでも良い。このように、回折格子片Ｐには、いわゆる反射型回折格子片が用いられているが、光の回折を生じさせるものであれば、その形状や材料等は何ら限定されるものではない。また図示していないが、例えば回折格子片Ｐをシート状に形成して塗膜の中に貼り付けても良い。
【００２９】
また回折格子片Ｐは、前記有色クリア塗料１００重量％に対して、０．１〜５．０重量％、より好ましくは０．３〜１．５重量％配合させることが望ましい。回折格子片Ｐの前記配合量が０．１重量％未満の場合、回折作用が効果的に得られ難い傾向があり、逆に５．０重量％を超えると、外観が過度にギラギラしたものとなり、やや高級感が損なわれる傾向がある。
【００３０】
また有色クリア回折層３ｃは、その厚さが薄すぎると外観の深みが無くなって高級感が失われる傾向がある。逆に有色クリア回折層３ｃの厚さが大きすぎると、耐衝撃性が低下する傾向がある。このような観点より、有色クリア回折層３ｃの厚さは、特に限定されるものではないが、好ましくは５〜３０μｍ、より好ましくは１０〜２０μｍとすることが望ましい。
【００３１】
有色クリア回折層３ｃの外側には、無色透明なクリア塗料を塗装してトップクリア層３ｄが形成される。トップクリア層３ｄは、その内側にある有色クリア回折層３ｃの回折格子片Ｐへの光の到達を確保しつつ前記有色クリア回折層３ｃを被覆保護しかつ塗膜の耐久性、耐衝撃性、外観の深みを向上させる。クリア塗料としては、例えばポリエステル系樹脂、ウレタン系樹脂、エポキシ系樹脂又はアクリル系樹脂等をベース樹脂とする熱硬化型塗料が望ましい。本例ではクリア塗料として、ポリエステル系樹脂をベース樹脂とする熱硬化塗料を前記有色クリア回折層３ｃの外側に塗布し、１５０℃で１５分間加熱することにより焼き付けて所望のゴルフクラブヘッド１を得た。
【００３２】
そして前記塗膜３の全厚さｈは、１００μｍ以下、より好ましくは４０〜８０μｍとすることが望ましい。前記塗膜３の全厚さｔが１００μｍを超えると、硬くかつもろくなるなど耐衝撃性が低下するためである。
【００３３】
図７には、本発明の他の実施形態を示している。前記実施形態では、回折格子片Ｐを有色クリア塗料に配合して有色クリア回折層３ｃを形成したが、この実施形態では、第３番目の層を、無色透明なクリア塗料に回折格子片Ｐを配合して無色クリア回折層３ｅとした態様が示されている。他の構成は図４の場合と同一である。この実施形態では、回折格子片Ｐへの光の入射量が増すため、回折格子片Ｐの回折効果をより高めるとともに、ギラギラした外観を与えることができる。
【００３４】
このギラギラ感については、ユーザの好みが分かれるところである。従って、派手なデザインを好む例えば比較的若いゴルファを対象としたヘッド１については、このような強いギラギラ感を持つヘッド１も好ましく実施できる。他方、熟年ゴルファ等においては、もう少し落ち着いた印象を好む傾向も見られるため、その場合には前記実施形態のように、回折格子片Ｐを有色クリア塗料に配合することが望ましい。これによって、虹色のスペクトル生成効果を維持しつつギラギラ感を減じることができる。なお回折格子片Ｐの配合量を減じることによって、前記ギラギラ感を低減させることもできるが、この場合には、回折効果までもが低下し、虹色の輝きが損なわれる傾向がある。
【００３５】
図８には、さらに本発明の他の実施形態を示す。
この実施形態では、図７の態様において、無色クリア回折層３ｅと、トップクリア層３ｄとの間に、有色透明の有色クリア層３ｆを介在させ、塗膜３を合計５層で構成した態様が示されている。特に有色クリア層３ｆは、実質的に一定の厚さで形成されている。この実施形態では、透過性のあるトップクリア層３ｄと有色クリア層３ｆとが設けられ、この合計厚さが他の実施形態に比して最も大きくなる。このため、ヘッドの外観に深みが増し、より高級感を高めることができる。
【００３６】
また図４に示した実施形態では、回折格子片Ｐが有色クリア塗料の中に配合されている。このため、各格子片Ｐは、有色クリア回折層３ｃの外側面からの距離が個々に異なっている。このような距離のバラツキは、有色クリア塗料を透過して各格子片Ｐに到達する光量の変化をもたらし、ひいては回折効果のばらつき、より簡単に述べれば虹色の輝きにバラツキが生じやすくなる。しかしながら、図８の実施形態では、各回折格子片Ｐに到達する光は、それぞれ同じ厚さの有色クリア層３ｆを通過するため、該回折格子片Ｐに達する入射光量のバラツキを減じ、ひいては虹色の輝きを各部で均一化して安定した発色を得ることができ、より一層ヘッド１の外観を向上させることができる。
【００３７】
なお本発明では、塗膜３が虹色状の光の回折を生じさせる回折塗膜部３Ａを含んでいれば足り、該回折塗膜部３Ａを構成する具体的な層数などは、例示の実施形態に限定されるものではなく種々変更しうるのは言うまでもない。例えば最外側のトップクリア層３ｄを省略することもでき、また６層以上とすることもできる。
【００３８】
また本実施形態のヘッド１は、前記塗膜３が少なくともクラウン面５に形成されている。そして、特に好ましくは塗膜３がフェース面４の上縁４ａ及びサイド面６の上縁６ａをそれぞれ下方（ソール面側）にはみ出すことが望ましい。本実施形態では、塗膜３はフェース面４の上縁を３ないし５mm程度の幅ｄ１（図１）でフェース面４にはみ出して形成されるとともに、サイド面６の全域に形成されたものを示す。前記フェース面４の上縁４ａ及びサイド面６の上縁６ａは、いずれも先鋭状をなすため耐衝撃性が低いため、塗膜３によって効果的にヘッド基体２を保護することが望ましい。
【００３９】
ところで、ゴルファは、フェース面４及びクラウン面４の形状を手がかりとしてヘッド１を目標に向けてアドレスする。従って、クラウン面４の輪郭形状が見づらいと、目標にヘッド１を合わせるのが困難となる。本実施形態では、図３に示すように、塗膜３が、回折格子片Ｐを含んでいる回折塗膜部３Ａと、回折格子片Ｐを含まない非回折塗膜部３Ｂとを有しており、非回折塗膜部３Ｂが、クラウン面５の周辺領域５Ｂに形成されるとともに、回折塗膜部３Ａが、クラウン面中央部５Ａに形成されたものが例示される。
【００４０】
この結果、クラウン面５の輪郭を含む前記周辺領域５Ｂでは、光の回折効果が生じないため、クラウン面５の輪郭形状を見やすくする。また、アドレスに殆ど影響しないクラウン面５の中央部５Ａについては、虹色の輝きをもたらしヘッドの外観を向上できる。このように、本実施形態のヘッド１は、虹色の輝きを維持しつつアドレスしやすいという利点がある。また好ましくは、クラウン面５の周辺領域５Ｂの幅Ｗを５mm以上、さらに好ましくは５〜１５mm程度に設定することが望ましい。
【００４１】
なお前記クラウン面５の周辺領域５Ｂの塗膜厚さは、前記クラウン面中央部５Ａの塗膜厚さよりも小であることが望ましい。クラウン面５の周辺領域５Ｂは、前述の各上縁４ａ、６ａを含めて耐衝撃性に劣る部分であるため、塗膜厚さを減じて耐衝撃性の向上を図ることが望ましい。なおヘッド１は、ウッド型以外にも、アイアン型、パター型、ユーティリティ型など、種々のタイプを採用できる。
【実施例】
【００４２】
表１の仕様に基づいて塗膜の各層の厚さを変化させて多数のゴルフクラブヘッドを塗装し、塗膜の耐衝撃性、外観（虹色の輝き具合、深みと高級感）、アドレスし易さを評価した。塗料は、各層においていずれもポリエステル系樹脂塗料をベースとし、スプレーガンタイプの塗装機で塗装を施した。塗膜の焼き付けは、各層ごとに１５０℃で１５分とした。なお比較例１ないし２は、塗膜に回折格子片を含まないものとし、比較例３は、回折格子片に代えて着色したマイカ（偏光材）を配合したもの（図９に塗膜構成を示す。）である。また評価方法は、次の通りである。
【００４３】
＜耐衝撃性＞
耐衝撃性については、１５０mmの高さから質量５００ｇの鉄棒をヘッドの塗膜部分に落下させ、塗膜の剥離状況を目視により観察した。損傷の大きさ、深さなどを総合的に観察し５段階で評価した。数値が大きいほど良好であることを示す。
【００４４】
＜外観、アドレスし易さ＞
外観については、虹色の輝き具合、色の深みと高級感の度合いを、アドレスし易さについては、晴天時屋外でアドレスし、ヘッドの向きの合わせ易さを基準として、夫々ゴルファ１０名のフィーリングにより５段階で評価した。結果は、その平均値を示す。
評価の結果を表１に示す。
【００４５】
【表１】
2005087314.tif 000003
【００４６】
実施例のものは、比較例と比べて、外観に優れることが確認できた。またクラウン面の周辺部を非回折塗膜部とした実施例では、構え易さが向上している。また塗膜の耐衝撃性についても比較例と同等乃至向上していることが確認できた。
【図面の簡単な説明】
【００４７】
【図１】本実施形態のゴルフクラブヘッドの斜視図である。
【図２】その背面図である。
【図３】図１の平面図である。
【図４】図１のＡ−Ａ切断面の塗膜を拡大して模式的に示す断面図である。
【図５】（Ａ）〜（Ｄ）は、回折格子片の一例を示す断面図である。
【図６】回折格子片の作用を説明する模式図である。
【図７】他の実施形態の塗膜を説明する断面図である。
【図８】他の実施形態の塗膜を説明する断面図である。
【図９】比較例３の塗膜を説明する断面図である。
【符号の説明】
【００４８】
１  ゴルフクラブヘッド
２  ヘッド基体
３  塗膜
３ａ  下地層
３ｂ  着色層
３ｃ  着色偏光クリア層
３ｄ  クリア層
【図１】
2005087314.tif 000004
【図２】
2005087314.tif 000005
【図３】
2005087314.tif 000006
【図４】
2005087314.tif 000007
【図５】
2005087314.tif 000008
【図６】
2005087314.tif 000009
【図７】
2005087314.tif 000010
【図８】
2005087314.tif 000011
【図９】
2005087314.tif 000012